(57)【要約】【課題】ショートを防ぐことが可能なマルチプルインワンメモリカードのコネクターを提供する。【解決手段】コネクターは絶縁台、カバー２及び複数の端子組から構成され、絶縁台のスロット１２の前段底面に第一端子組が設けられ、スロット１２後段底面に第二端子組が設けられ、第一端子組及び第二端子組の中間に第三端子組が設けられる。第一端子組の一側のスロット１２底に貫通溝が設けられ、貫通溝内に弾性プッシュアームが成形され、弾性プッシュアームの自由端に突起が設けられる。第一端子組の最も外側の給電接続端子の接続部端を弾性プッシュアームに嵌め付け連動させることにより、給電接続端子の上端と転接カード１０の鉄ケース１０５の底縁とは隙間が確保されて接触導通が防止される。【選択図】図１
0003119347.tif 000002
【実用新案登録請求の範囲】
【請求項１】
絶縁台、カバー及び複数の端子組から構成され、その絶縁台の両側には側壁が設けられ、その中間はスロットのある台に形成され、カバーはスロットの上に覆い被せられ、複数の端子組はスロットの前段底面に一列の第一端子組が設けられ、スロット後段底面に一列の第二端子組が設けられ、第一端子組及び第二端子組の中間に第三端子組が設けられ、
第一端子組の最も外側のスロット底面には貫通溝が設けられ、貫通溝内には弾性プッシュアームが成形され、その弾性プッシュアームの一端は貫通溝内に連結され、弾性プッシュアームの自由端にはスロット内に突き出す突起が設けられ、かつ弾性プッシュアームの内側辺には嵌め溝が設けられ、第一端子組の最も外側の給電接続端子の接続部端は弾性プッシュアームの嵌め溝に嵌め込まれ、給電接続端子は弾性プッシュアームに連動して押さえ下げられ、
カードが挿入された場合、弾性プッシュアームは連動して給電接続端子を押し下げ、それの上端と転接カードの鉄ケースの底縁とには適当な隙間が確保されて互いに接触導通することが防止され、ショートを防ぐことが可能なマルチプルインワンメモリカードのコネクターを構成することを特徴とするショートを防ぐことが可能なマルチプルインワンメモリカードのコネクター。
【請求項２】
前記弾性プッシュアームの一端はスロットの挿入端に隣接する貫通溝内に連結され、弾性プッシュアームの自由端はスロットの軸方向に沿って延伸することを特徴とする請求項１に記載のショートを防ぐことが可能なマルチプルインワンメモリカードのコネクター。
【請求項３】
前記第一端子組はＸＤメモリカードの挿入接続使用に提供され、第二端子組はＭＳメモリカードまたは転接カードの挿入接続使用に提供され、第三端子組は他種メモリカードの挿入接続使用に提供されることを特徴とする請求項１に記載のショートを防ぐことが可能なマルチプルインワンメモリカードのコネクター。
【考案の詳細な説明】
【技術分野】
【０００１】
本考案はショートを防ぐことが可能なマルチプルインワンメモリカードのコネクターに関するもので、特にカードが挿入されたとき、メモリカードのカバーが給電接続端子とアースシートと接触導通してショートしてしまうことが避けられるマルチプルインワンメモリカードのコネクターの改善を指したものである。
【背景技術】
【０００２】
従来のメモリカードは各先導メーカの持続的研究開発の下で、その仕様が複雑で多様であり、一般に見られるものにはＸＤメモリカード、ＭＳメモリカード、ＳＤメモリカード、ＭＭＣメモリカードまたはＣＦメモリカード等があるが、それら次々と研究開発されたメモリカードは仕様が互いに許容できない。したがって、市場では転接カード及びマルチプルインワンメモリカードのコネクターの設計が提出されている。図８及び図９に示すように、その転接カード１０の前端には挿接部１０１が設けられ、挿接部１０１の底面には二枚のアースシート１０２及びゴルドフィンガー１０３が設けられ、その挿接部１０１の後端には絶縁底蓋１０４及び金属カバー１０５から構成されるメモリカードのスロットが設けられ、並びに絶縁底蓋１０４の底部に複数の接続端子１０６が設けられており、その接続端子１０６とゴルドフィンガー１０３は電気的に接続され、メモリカード２０はメモリカードのスロットに挿入されると接続端子１０６と接触し、更に前端挿接部１０１を通じてその他メモリカードのコネクターと接続して転接カード１０に接続される。
【０００３】
図１０に示すように、従来のマルチプルインワンメモリカードのコネクターの設計では、通常電気コネクター３０内に複数列の接続端子が設けられ、各列の端子によって異なるメモリカードの挿入時の接触使用が提供される。ところが上述のような転接カード１０には金属カバー１０５があり、その金属カバー１０５は底蓋１０４の底面まで覆い被さり、金属カバー１０５の表面は従来ペンキ処理によって絶縁されているが、使用によって常に摩擦されて金属カバー１０５表面のペンキが剥落し、転接カード１０が電気コネクター３０の内部に挿入されると、金属カバー１０５は同時にアースシート１０２及び一列目の接続端子４０外側の電源端子４０1（Power Pin）と接触し、同時接続導通の状態を形成してショートの現象を発生し、メモリカードの使用時の安定性に影響を及ぼす。
【考案の開示】
【考案が解決しようとする課題】
【０００４】
本考案の主な目的は、ショートを防ぐことが可能なマルチプルインワンメモリカードのコネクターを提供するもので、メモリカードの電気コネクターの一列目端子一側の構造改善により、外側の給電接続端子(Power Pin)は使用時に於いて押さえ下げられ、転接カードまたはメモリカードの鉄ケース個所と接触することが防止される。これによって鉄ケースが給電接続端子と別に設けられているアースシートと同時に接触してショートすることが避けられ、メモリカードを安定に使用する機能が達成される。
【０００５】
本考案の次の目的は、ショートを防ぐことが可能なマルチプルインワンメモリカードのコネクターを提供するものである。メモリカードコネクターは軽薄及び小さいという設計要求に局限され、かつ従来の一列目の接続端子の20本のピンの中、その外側2本はともに電源端子(Power Pin)に指定されているが、一般では一本の電源端子だけで接続すれば電力を提供することができる。それ故に本考案では最も外側の電源端子を取りぬき、かつ構造設計を弾性プッシュアームがあるように実施した。カードが挿入された場合、弾性プッシュアームは一側の電源端子を連動させて押し下げ、電源端子の上端と転接カードまたはメモリカードの鉄ケース底縁とに適当な隙間が形成され、誤接触導通しないことが確保され、ショートの現象が防止される。
【課題を解決するための手段】
【０００６】
上述目的により、本考案のショートを防ぐことが可能なマルチプルインワンメモリカードのコネクターは、絶縁台、カバー及び複数の端子組から構成され、その絶縁台は両側にそれぞれ側壁が設けられて中間はスロットのある台に形成され、カバーはスロットの上に覆い被せられ、スロット前段の底面には一列のＸＤメモリカードの第一端子組が設けられ、スロット後段底面には一列のＭＳメモリカードの第二端子組が設けられ、その第一端子組及び第二端子組の中間にその他メモリカードに適用される第三端子組が設けられている。その中、第一端子組一側のスロット底には貫通溝が設けられ、貫通溝中には弾性プッシュアームが成形され、弾性プッシュアームの一端は貫通溝と連結し、弾性プッシュアームの自由端にはスロット中にある突起が設けられ、これによって第一端子組の最も外側の給電接続端子の自由端は弾性プッシュアームに嵌め付けられて連動し、その他メモリカードまたは転接カードが挿入された場合は同時にその給電接続端子を押し下げ、メモリカードまたは転接カードの鉄ケースが給電接続端子と接触することを防止することができ、ショートの現象が避けられ、メモリカード使用の安定性効果が達成される。
【０００７】
本考案はショートを防ぐことが可能なマルチプルインワンメモリカードのコネクターに関するもので、それは絶縁台、カバー及び複数の端子組から構成され、その絶縁台のスロット前段底面には一列のＸＤメモリカードの第一端子組が設けられ、後段底面には一列のＭＳメモリカードの第二端子組が設けられ、それの中間にその他メモリカードに適用される第三端子組が設けられ、その中、第一端子組一側のスロット底には貫通溝が設けられ、貫通溝中には弾性プッシュアームが成形され、弾性プッシュアームの自由端には突起が設けられ、これによって第一端子組の最も外側の給電接続端子の自由端を弾性プッシュアームに嵌め付けて連動させれば、ショートを防ぐことが可能なマルチプルインワンメモリカードのコネクターを構成することができる。
【考案を実施するための最良の形態】
【０００８】
図面に示すように本考案の一実施例による「ショートを防ぐことが可能なマルチプルインワンメモリカードのコネクター」は絶縁台１、カバー２及び複数の端子組３、４、５から構成され、それによってＸＤメモリカード６０、ＭＳメモリカード７０、ＳＤメモリカード８０またはＭＭＣメモリカード９０の挿入接続使用に供される。
【０００９】
図２及び図３に示すように、絶縁台１の両側にはそれぞれ側壁１１が設けられて中間は凹陥したスロット１２の絶縁台に形成され、スロット１２の両内側辺には複数の案内溝１２１、１２２が設けられ、スロット１２内の底面挿入端の一側には貫通溝１３が設けられ、貫通溝１３内には弾性プッシュアーム１４が一体成形され、その弾性プッシュアーム１４の一端は隣接スロット１２の挿入端と貫通溝１３内で連結し、弾性プッシュアーム１４の自由端にはスロット１２内に突き出す突起１５が設けられており、かつ弾性プッシュアーム１４の内側辺選定個所には嵌め溝１６が設けられている。
【００１０】
図１に示すように、カバー２は金属シートをプレスして作られたコ形のもので、それの側面底部には数枚のアースシート２１が設けられ、これを絶縁台１のスロット１２に覆い被せて固定すればアースシート２１は絶縁台１の底面に延伸する。
図２及び図３に示すように、第一端子組３はＸＤメモリカードの挿入接続使用を提供する複数の接続端子３１から構成され、それは配列状を呈して絶縁台１のスロット１２の挿入端底面に設けられ、それの一端の溶接部３２は絶縁台１の前端底面に延伸し、接続部３３はスロット１２の軸方向に沿ってスロット１２の底面に延伸して突起状を呈し、その中の弾性プッシュアーム１４に隣接する最も外側の給電接続端子３１’(Power Pin)の接続部３３端は弾性プッシュアーム１４の嵌め溝１６に嵌め込まれる。そのために給電接続端子３１’は弾性プッシュアーム１４に連動して押さえ下げられる。
【００１１】
図２に示すように、第二端子組４はＭＳメモリカードの挿入接続使用を提供する複数の接続端子４１から構成され、それは絶縁台１のスロット１２内の底面後段に設けられ、各接続端子４１には絶縁台１まで延伸する溶接部、及び軸方向にスロット１２へ延伸する接続部４３が含まれ、その接続部４３はスロット１２の底面に位置して突起状を呈する。
【００１２】
図２に示すように、第三端子組５はその他メモリカードの挿入接続使用を提供する複数の接続端子５１から構成され、それは上述第一端子組３と第二端子組４の間のスロット１２内底面に設けられ、各接続端子５１には絶縁台１まで延伸する溶接部、及び軸方向に沿ってスロット１２へ延伸する接続部５３が含まれ、その接続部５３はスロット１２の底面に位置して突起状を呈する。
【００１３】
上述絶縁台１、カバー２及び複数の端子組３、４、５の構造及び構成方式、特にその弾性プッシュアーム１４と給電接続端子３１’の連動押し下げの構造改善によって、本実施例の誤接触によるショートを防ぐことが可能なマルチプルインワンメモリカードのコネクター（図１を参照ください）を構成し、ＸＤメモリカード６０、ＭＳメモリカード７０、ＳＤメモリカード８０またはＭＭＣメモリカード９０の選択挿入接続使用を提供することができる。
【００１４】
本考案の応用実施状態では図４に示すように、ＸＤメモリカード６０が絶縁台１のスロット１２内に挿入された場合、案内溝１２１の案内及び制限によってＸＤメモリカード６０は第一端子組３の上端及び突起１５の前で停止するので、ＸＤメモリカード６０は第一端子組３のすべての接続端子３１と電気的接続を構成することができる。
【００１５】
図５及び図６に示すように、ＭＳメモリカード７０または従来の転接カード１０が絶縁台１のスロット１２内に挿入された場合、それは後端まで深入りして第二端子組４と電気的接続し、そのＭＳメモリカード７０または従来の転接カード１０が挿入されたと同時に上述弾性プッシュアーム１４の突起１５を押し下げ、弾性プッシュアーム１４が下降するのと同調して第一端子組３の給電接続端子３１’(Power Pin)を押し下げ、弾性プッシュアーム１４及び給電接続端子３１’を貫通溝１３内に縮入させる。こうなると図６に示すように、給電接続端子３１’の上端はＭＳメモリカード７０または従来の転接カード１０の鉄ケース１０５の底縁と適当な隙間Ａが確保されて接触導通することがなく、これによって誤接触によるショートを防ぐ機能が達成され、使用の安定性を得ることができる。
【００１６】
再び図２に示すように、第一端子組３の給電接続端子３１’は通常２本(2 Pin)あるが、実際上は一本あれば給電接続使用が達成されるので、本実施例ではその中の一本の給電接続端子を取りぬき、一本だけの給電接続端子３１’を残して前述弾性プッシュアーム１４との嵌め付け連動に供している。したがって、その他メモリカードまたは転接カードの鉄ケース１０５との接触による不当な導通からなるショートの現象を防止することが達成される。
【図面の簡単な説明】
【００１７】
【図１】本考案の実施例によるショートを防ぐことが可能なマルチプルインワンメモリカードのコネクターの構成状態を示す斜視図である。
【図２】本考案の実施例によるショートを防ぐことが可能なマルチプルインワンメモリカードのコネクターの絶縁台と端子組の組み合わせ状態を示す斜視図である。
【図３】本考案の実施例によるショートを防ぐことが可能なマルチプルインワンメモリカードのコネクターの絶縁台を示す断面図である。
【図４】本考案の実施例によるショートを防ぐことが可能なマルチプルインワンメモリカードのコネクターのＸＤメモリカードの応用実施状態を示す模式図である。
【図５】本考案の実施例によるショートを防ぐことが可能なマルチプルインワンメモリカードのコネクターのＭＳメモリカードまたは転接カードの応用状態を示す模式図である。
【図６】本考案の実施例によるショートを防ぐことが可能なマルチプルインワンメモリカードのコネクターの給電接続端子が押し下げられた状態を示す拡大図である。
【図７】本考案の実施例によるショートを防ぐことが可能なマルチプルインワンメモリカードのコネクターにおいて、転接カードと電源端子が適当な隙間を呈している状態を示す断面図である。
【図８】従来の転接カードの応用実施状態を示す模式図である。
【図９】従来の転接カードの構造を示す分解図である。
【図１０】従来の転接カードと電源端子が接触してショートした状態を示す模式図である。
【符号の説明】
【００１８】
１  絶縁台、２  カバー、３  第一端子組、４  第二端子組、５  第三端子組、１０  転接カード、１１  側壁、１２  スロット、１３  貫通溝、１４  弾性プッシュアーム、１５  突起、１６  嵌め溝、２１  アースシート、３１  接続端子、３１’  給電接続端子、３２  溶接部、３３  接続部、４１  接続端子、４３  接続部、５１  接続端子、５３  接続部、６０  ＸＤメモリカード、７０  ＭＳメモリカード、８０  ＳＤメモリカード、９０  ＭＭＣメモリカード、１２１、１２２  案内溝
【図１】
0003119347.tif 000003
【図２】
0003119347.tif 000004
【図３】
0003119347.tif 000005
【図４】
0003119347.tif 000006
【図５】
0003119347.tif 000007
【図６】
0003119347.tif 000008
【図７】
0003119347.tif 000009
【図８】
0003119347.tif 000010
【図９】
0003119347.tif 000011
【図１０】
0003119347.tif 000012